【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
複数の記憶領域を有する１又は複数の記憶装置と、
データの移行を制御するコントローラと、
を有するストレージシステムを備える計算機システムであって、
前記コントローラが第１記憶領域が有する第１データを前記第１記憶領域から第２記憶領域に移行する場合に、
前記コントローラは、前記第１記憶領域と関連する第３記憶領域が有する第２データを、前記第３記憶領域から、前記第１記憶領域と関連する記憶領域に対して定められたポリシに従って選択される第４記憶領域に移行する、ことを特徴とする計算機システム。
【請求項２】
請求項１記載の計算機システムであって、
前記第１記憶領域と関連する記憶領域に対して定められたポリシは、前記第１記憶領域の移行先である前記第２記憶領域と同じ種類の記憶装置が有する記憶領域を選択することであり、
前記第２記憶領域を有する記憶装置と、前記第４記憶領域を有する記憶装置と、は同じ種類であることを特徴とする計算機システム。
【請求項３】
請求項１または請求項２に記載の計算機システムであって、
前記計算機システムは、管理計算機を備え、
前記管理計算機は、
前記第１記憶領域と、前記第３記憶領域とがペア関係にあることを示す情報を有する構成情報テーブルと、
前記コントローラに、移行処理を指示する移行処理指示部と、
を有し、
前記コントローラが、前記第１データを、前記第１記憶領域から前記第２記憶領域へ移行する場合、
前記移行処理指示部が、前記構成情報テーブルを参照して、前記第１記憶領域とペア関係にある前記第３記憶領域を特定し、
前記移行処理指示部は、前記第２記憶領域と同じ種類の記憶装置によって提供される記憶領域である前記第４記憶領域を、前記第２データの移行先として選択し、
前記移行処理指示部が、前記第２データを、前記第３記憶領域から前記第４記憶領域へ移行することを前記コントローラに指示し、
前記コントローラが、前記第２データを、前記第３記憶領域から前記第４記憶領域へ移行することを特徴とする計算機システム。
【請求項４】
請求項１または請求項２に記載の計算機システムであって、
前記計算機システムは、管理計算機を備え、
前記管理計算機は、
前記コントローラに、移行処理を指示する移行処理指示部と、
前記第１記憶領域と、前記第３記憶領域とがペア関係にあることを示す情報を有する構成情報テーブルと、
他の記憶領域とペア関係にある記憶領域が有するデータの移行先としていずれの記憶領域を選択すべきかを示す複数のポリシを有する関連ポリシテーブルと、
前記複数の記憶領域に対して、前記複数のポリシのいずれを割当てるかを示すポリシ割当てテーブルと、
を有し、
前記コントローラが、前記第１データを、前記第１記憶領域から前記第２記憶領域へ移行する場合、
前記移行処理指示部が、前記構成情報テーブルを参照して、前記第１記憶領域とペア関係にある前記第３記憶領域を特定し、
前記移行処理指示部が、前記ポリシ割当てテーブルと、前記関連ポリシテーブルと、を参照して、前記第３記憶領域の移行先として前記第４記憶領域を選択し、
前記移行処理指示部が、前記第２データを、前記第３記憶領域から前記第４記憶領域へ移行することを、前記コントローラに指示し、
前記コントローラが、前記第２データを、前記第３記憶領域から前記第４記憶領域へ移行することを特徴とする計算機システム。
【請求項５】
請求項４に記載の計算機システムであって、
前記関連ポリシテーブルは、
前記第２データを移行するタイミングの情報と、
前記第２データを移行するときの、前記第１記憶領域の条件と、を有し、
前記移行処理指示部が、前記ポリシ割当てテーブルと、前記関連ポリシテーブルと、を参照した場合、
前記参照したタイミングが、前記関連ポリシテーブルの前記タイミングに該当し、
前記第１記憶領域が、前記関連ポリシテーブルの前記第１記憶領域の条件に該当するとき、
前記移行処理指示部が、前記第２データを移行することを、前記コントローラへ指示することを特徴とする計算機システム。
【請求項６】
請求項１または請求項２に記載の計算機システムであって、
前記コントローラは、メモリを備え、
前記メモリは、
データを、前記第１記憶領域から、前記第２記憶領域へ移行する移行処理プログラムと、
前記第１記憶領域と、前記第３記憶領域との関連を示す情報を持つ構成情報テーブルと、
前記移行処理プログラムに、移行処理を指示する移行処理指示プログラムと、
を記憶し、
前記移行処理プログラムが、前記第１データを、前記第１記憶領域から前記第２記憶領域へ移行した場合、
前記移行処理指示プログラムが、前記構成情報テーブルを参照して、前記第１記憶領域と関連のある前記第３記憶領域を特定し、
前記移行処理指示プログラムが、前記第２データを、前記第３記憶領域から前記第４記憶領域へ移行することを前記移行処理プログラムに指示し、
前記移行処理プログラムが、前記第２データを、前記第３記憶領域から前記第４記憶領域へ移行することを特徴とする計算機システム。
【請求項７】
請求項６に記載の計算機システムであって、
前記メモリは、前記第３記憶領域が有するデータの移行先の記憶領域を選択するポリシを含む、関連ポリシテーブルと、
前記記憶領域に対する前記ポリシの割当てを示すポリシ割当てテーブルと、
を有し、
前記移行処理プログラムが、前記第１データを、前記第１記憶領域から前記第２記憶領域へ移行した場合、
前記移行処理指示プログラムが、前記構成情報テーブルを参照して、前記第１記憶領域と関連のある前記第３記憶領域を特定し、
前記移行処理指示プログラムが、前記ポリシ割当てテーブルと、前記関連ポリシテーブルとを参照して、前記第３記憶領域の移行先に前記第４記憶領域を選択し、
前記移行処理指示プログラムが、前記第２データを、前記第３記憶領域から前記第４記憶領域へ移行することを前記移行処理プログラムに指示し、
前記移行処理プログラムが、前記第２データを、前記第３記憶領域から前記第４記憶領域へ移行することを特徴とする計算機システム。
【請求項８】
請求項１乃至請求項７のいずれか１つに記載の計算機システムであって、
前記第１記憶領域は、複数の第１部分記憶領域から構成され、
前記第２記憶領域は、複数の第２部分記憶領域から構成され、
前記第３記憶領域は、複数の第３部分記憶領域から構成され、
前記第４記憶領域は、複数の第４部分記憶領域から構成され、
前記コントローラが、前記第１部分記憶領域が有する第１部分データを、当該第１部分記憶領域から前記第２部分記憶領域へ移行する場合、
前記コントローラが、当該第１部分記憶領域と関連を持つ前記複数の第３部分記憶領域が有する第２部分データを、当該第３部分記憶領域から、前記第４部分記憶領域へ移行することを特徴とする計算機システム。
【請求項９】
請求項８に記載の計算機システムであって、
前記計算機システムは、管理計算機を備え、
前記管理計算機は、
前記第１記憶領域と、前記第３記憶領域との関連を示す情報を有する構成情報テーブルと、
前記記憶領域と、前記部分記憶領域との関連を示す情報を有する部分記憶領域情報テーブルと、
前記コントローラに、移行処理を指示する移行処理指示部と、
を有し、
前記コントローラが、前記第１部分データを、前記第１部分記憶領域から前記第２部分記憶領域へ移行した場合、
前記移行処理指示部が、前記構成情報テーブルと、前記部分記憶領域情報テーブルと、
を参照して、前記第１部分記憶領域と関連のある前記第３部分記憶領域を特定し、
前記移行処理指示部が、前記第２部分データを、前記第３部分記憶領域から前記第４部分記憶領域へ移行することを前記コントローラに指示し、
前記コントローラが、前記第２部分データを、前記第３部分記憶領域から前記第４部分記憶領域へ移行することを特徴とする計算機システム。
【請求項１０】
ホスト計算機に接続されるストレージシステムであって、
前記ストレージシステムは、
複数の記憶領域を有する１又は複数の記憶装置と、
前記ホスト計算機に、複数の仮想論理ボリュームを提供するコントローラと、
を有し、
前記コントローラは、前記ホスト計算機から仮想論理ボリュームへの書き込みデータを受領した場合、必要に応じて、当該仮想論理ボリュームに対して前記複数の記憶領域の一又は複数を割り当て、当該割当てられた記憶領域に前記書き込みデータを書き込むものであり、
前記コントローラは、第１仮想論理ボリュームが有する第１データを、前記第１仮想論理ボリュームから第２仮想論理ボリュームへ移行する場合、
前記第１仮想論理ボリュームとペア関係にある第３仮想論理ボリュームが有する第２データを、前記第１仮想論理ボリュームとペア関係にある仮想論理ボリュームについて定められたポリシによって選択される第４仮想論理ボリュームへ移行することを特徴とする、ストレージシステム。
【請求項１１】
第１ストレージシステムと、第２ストレージシステムとを含む、複数のストレージシステムを備える計算機システムであって、
前記第１ストレージシステムは、
第１記憶領域と、第２記憶領域と、を含む複数の記憶領域を有する、１又は複数の記憶装置と、
データを前記第１記憶領域から、前記第２記憶領域へと移行する、第１コントローラと、
を備え、
前記第２ストレージシステムは、
第３記憶領域と、第４記憶領域と、を含む複数の記憶領域を有する、１又は複数の記憶装置と、
データを前記第３記憶領域から、前記第４記憶領域へと移行する、第２コントローラと、
を備え、
前記第１コントローラが、前記第１記憶領域が有する第１データを、前記第１記憶領域から前記第２記憶領域へ移行する場合、
前記第２コントローラが、前記第１記憶領域と関連を持つ前記第３記憶領域が有する第２データを、前記第３記憶領域から、前記第１記憶領域と関連する記憶領域に対して定められたポリシに従って選択される前記第４記憶領域へ移行することを特徴とする計算機システム。
【請求項１２】
請求項１１に記載の計算機システムであって、
前記計算機システムは、管理計算機を備え、
前記管理計算機は、
前記第１記憶領域と、前記第３記憶領域との関連を示す情報と、
前記第１記憶領域を有する前記第１ストレージシステムの情報と、
前記第３記憶領域を有する前記第２ストレージシステムの情報と、
を有する構成情報テーブルと、
前記第１コントローラと、前記第２コントローラとに、移行処理を指示する移行処理指示部と、を有し、
前記第１コントローラが、前記第１データを、前記第１記憶領域から前記第２記憶領域へ移行した場合、
前記移行処理指示部が、前記構成情報テーブルを参照して、前記第１記憶領域と関連のある前記第３記憶領域を特定し、
前記移行処理指示部が、前記第２データを、前記第３記憶領域から前記第４記憶領域へ移行することを前記第２コントローラに指示し、
前記第２コントローラが、前記第２データを、前記第３記憶領域から前記第４記憶領域へ移行することを特徴とする計算機システム。